(57)【特許請求の範囲】
【請求項１】
エレベータのかご操作盤または乗場操作盤に設けられる操作ボタン装置であって、
操作面を有し、当該操作面の押下により操作される押しボタンと、
作動子を有し、当該作動子が前記押下方向に変位することによりオン・オフが切り換わる機械式スイッチと、
前記押しボタンの前記操作面とは反対の裏側に配され、前記操作面の前方において一定の距離範囲に亘る検知領域を有し、当該操作面の前方に存する指その他の物体を検知する非接触センサと、
前記押しボタンと前記作動子の間に設けられ、当該押しボタンと当該作動子の間隔を調整する間隔調整アダプタと、
を有し、
前記押しボタンの前記押下操作が、前記間隔調整アダプタを介して、前記作動子に伝わって、当該作動子が前記変位し、
前記間隔調整アダプタによって調整された前記間隔分、前記非接触センサから前記操作面までの距離が調整された構成とされていることを特徴とする操作ボタン装置。
【請求項２】
前記非接触センサは、光電センサであって、検出光の出射位置を起点に、第１の距離から第２の距離に亘る間が前記検知領域であって、前記第１の距離までは前記物体が検知されない非検知領域であり、前記操作面は、前記非検知領域に存する構成とされていることを特徴とする請求項１に記載の操作ボタン装置。
【請求項３】
前記機械式スイッチと前記非接触センサが同一の回路基板に実装されていることを特徴とする請求項１または２に記載の操作ボタン装置。
【請求項４】
前記間隔調整アダプタは、前記押しボタンと前記作動子の両方に対し、着脱自在に設けられていることを特徴とする請求項１〜３のいずれか１項に記載の操作ボタン装置。
【請求項５】
前記押しボタン、前記間隔調整アダプタ、前記作動子、および前記非接触センサは、前記押下方向に直列配置されており、
前記非接触センサは、前記押下方向、前記操作面に向かって検出光を投光する光電センサであり、前記押しボタン、前記間隔調整アダプタ、前記作動子の各々は、前記検出光の進路に該当する部分が中空に、または透光部材で構成されていることを特徴とする請求項１、３、４のいずれか１項に記載の操作ボタン装置。
【発明の詳細な説明】
【技術分野】
【０００１】
本発明は、エレベータの操作ボタン装置に関し、特に、押しボタンに触れて操作する機械式スイッチに加え、非接触で操作できる非接触センサを備えた操作ボタン装置に関する。
【背景技術】
【０００２】
エレベータには、かご操作盤に設けられた行先階ボタン装置、戸開閉ボタン装置や乗場操作盤に設けられた呼びボタン装置など、不特定多数の乗客が操作する操作ボタン装置が数多く用いられている。
【０００３】
近年の公衆衛生に対する意識の高まりから、非接触でも操作できる操作ボタン装置のニーズが拡大している。そのような、操作ボタン装置が特許文献１に開示されている。
【０００４】
特許文献１に記載の操作ボタン装置（以下、「従来の操作ボタン装置」という）は、押しボタン１３と、押しボタン１３の作動に伴って操作されるスイッチ本体１７と、押しボタン１３の裏面に対向する位置に設けられ、押しボタン１３から離間した所定位置（検知領域）Ｐに利用者の指先が到達したことを検知する非接触式の検知手段１８とを有する構成とされている（特許文献１の段落[００４１]、図５）。
【０００５】
また、検知領域Ｐ（押しボタン１３の表面からの距離範囲）は、Ｌ１以上Ｌ２以下とし（引用文献１の図５）、Ｌ１は２ｃｍ≦Ｌ１≦３ｃｍ、Ｌ２は４ｃｍ≦Ｌ２≦１０ｃｍが好ましいとされている（引用文献１の段落[００３６]、[００３７]）。
【０００６】
なお、スイッチ本体１７の一例としてタクタイルスイッチが、検知手段１８の一例として赤外線式光電センサが挙げられている（特許文献１の段落[００３１]、[００３３]）。
【０００７】
上記構成を有する従来の操作ボタン装置によれば、押しボタン１３を押下して操作する接触式としても、押しボタン１３の操作面前方の前記検知領域に指をかざす（指を進入させる）などによって操作する非接触式としても用いることができる。
【先行技術文献】
【特許文献】
【０００８】
【特許文献１】特許第６８４１３７２号公報
【発明の概要】
【発明が解決しようとする課題】
【０００９】
ところで、操作ボタン装置の用途やエレベータの設置場所などに応じて、検知領域Ｐの前記操作面からの開始位置（すなわち、距離Ｌ１）の変更調整の要請がある。
【００１０】
この場合、従来の操作ボタン装置では、前記光電センサの感度調整をし直したり（特許文献１の段落[００３４]）、あるいは、場合によっては、仕様の異なる別の光電センサに取り換えたり、といった手間を要することとなる。
【００１１】
そこで、本発明は、非接触センサの調整や取り換えを要することなく、非接触センサの検知領域の押しボタンの操作面からの開始位置が調整された操作ボタン装置を提供することを目的とする。
【課題を解決するための手段】
【００１２】
上記の目的を達成するため、本発明に係る操作ボタン装置は、エレベータのかご操作盤または乗場操作盤に設けられる操作ボタン装置であって、操作面を有し、当該操作面の押下により操作される押しボタンと、作動子を有し、当該作動子が前記押下方向に変位することによりオン・オフが切り換わる機械式スイッチと、前記押しボタンの前記操作面とは反対の裏側に配され、前記操作面の前方において一定の距離範囲に亘る検知領域を有し、当該操作面の前方に存する指その他の物体を検知する非接触センサと、前記押しボタンと前記作動子の間に設けられ、当該押しボタンと当該作動子の間隔を調整する間隔調整アダプタと、を有し、前記押しボタンの前記押下操作が、前記間隔調整アダプタを介して、前記作動子に伝わって、当該作動子が前記変位し、前記間隔調整アダプタによって調整された前記間隔分、前記非接触センサから前記操作面までの距離が調整された構成とされていることを特徴とする。
【００１３】
また、前記非接触センサは、光電センサであって、検出光の出射位置を起点に、第１の距離から第２の距離に亘る間が前記検知領域であって、前記第１の距離までは前記物体が検知されない非検知領域であり、前記操作面は、前記非検知領域に存する構成とされていることを特徴とする。
【００１４】
さらに、前記機械式スイッチと前記非接触センサが同一の回路基板に実装されていることを特徴とする。
【００１５】
さらに、また、前記間隔調整アダプタは、前記押しボタンと前記作動子の両方に対し、着脱自在に設けられていることを特徴とする。
【００１６】
また、前記押しボタン、前記間隔調整アダプタ、前記作動子、および前記非接触センサは、前記押下方向に直列配置されており、前記非接触センサは、前記押下方向、前記操作面に向かって検出光を投光する光電センサであり、前記押しボタン、前記間隔調整アダプタ、前記作動子の各々は、前記検出光の進路に該当する部分が中空に、または透光部材で構成されていることを特徴とする。
【発明の効果】
【００１７】
上記の構成を有する操作ボタン装置によれば、上記押しボタンと上記作動子の間に、当該押しボタンと当該作動子の間隔を調整する間隔調整アダプタを設けただけで、当該間隔分、上記非接触センサから前記操作面までの距離が調整された、ひいては、前記非接触センサの上記検知領域の前記操作面からの開始位置が調整された操作ボタン装置が構成される。
【００１８】
すなわち、上記非接触センサの調整や取り換えを要することなく、当該非接触センサの上記検知領域の前記操作面からの開始位置が調整された操作ボタン装置が得られる。
【図面の簡単な説明】
【００１９】
【図１】実施形態に係る操作ボタン装置を備えたエレベータの概略構成を示す図である。
【図２】上記エレベータの乗りかご室内におけるかご扉、およびその周辺の構成を示す斜視図である。
【図３】（ａ）は、上記かご室内に設けられたかご操作盤の概略構成を示す正面図であり、（ｂ）は、上記エレベータの乗場に設置された乗場操作盤の概略構成を示す正面図である。
【図４】（ａ）は、実施形態に係る操作ボタン装置の正面図であり、（ｂ）は前記操作ボタン装置の操作ボタン装置としての基本構成を有する標準操作ボタン装置の正面図である。
【図５】図４（ａ）におけるＡ・Ａ線断面図である。
【図６】実施形態に係る操作ボタン装置の一部分解斜視図である。
【図７】（ａ）は、間隔調整アダプタの正面図、（ｂ）は同平面図、（ｃ）は同右側面図、（ｄ）は（ａ）におけるＣ・Ｃ線断面図をそれぞれ示している。（ｅ）は、前記間隔調整アダプタの斜視図である。
【図８】（ａ）は、実施形態に係る操作ボタン装置の回路構成の概略を示す回路図であり、（ｂ）は、上記標準操作ボタン装置の回路構成の概略を示す回路図である。
【図９】（ａ）は変形例に係る間隔調整アダプタの連結前の状態を示す図であり、（ｂ）は、変形例に係る間隔調整アダプタの連結状態を示す図である。
【図１０】図４（ｂ）におけるＢ・Ｂ線断面図である。
【図１１】上記標準操作ボタン装置の一部分解斜視図である。
【発明を実施するための形態】
【００２０】
以下、本発明に係る操作ボタン装置を実施形態に基づき、図面を参照しながら説明する。図１は、実施形態に係る操作ボタン装置（図１では不図示）を備えたエレベータ１０の概略構成を示す図である。
【００２１】
エレベータ１０は、例えば、昇降路１２の上方に機械室１４を備えたトラクション式エレベータであって、機械室１４に設置された巻上機１６の駆動シーブ１８に掛けられた主ロープ２０の一端部に乗りかご２２が連結され、他端部に釣合おもり２４が連結された構成を有している。
【００２２】
巻上機１６は、不図示の電動機を有しており、当該電動機からの回転動力が、不図示の動力伝達機構を介し、駆動シーブ１８に伝達されて、駆動シーブ１８が回転駆動されると、駆動シーブ１８に掛けられた主ロープ２０に連結されている乗りかご２２と釣合おもり２４が、それぞれに設けられた不図示のガイドレールに案内されて、昇降路１２内を互いに反対向きに昇降する。
【００２３】
乗りかご２２内の袖壁４０（図２）には、かご操作盤２６が設置されている。かご操作盤２６は、利用者が行先階（目的階）を選択するための複数個の行先階ボタン装置４６、戸開ボタン装置４８、および戸閉ボタン装置５０（図３（ａ））等を有している。
【００２４】
乗りかご２２の各停止階床の乗場Ｈａ，Ｈｂ，Ｈｃには、乗りかご２２に設けられたかご扉装置２８のかご扉３６、３８（図２）の開閉に連動して開閉される乗場扉を含む乗場扉装置３０ａ，３０ｂ，３０ｃが設置されている。
【００２５】
乗場扉装置３０ａ、３０ｂ，３０ｃの乗場扉（不図示）近傍の壁面には、乗場操作盤３２ａ、３２ｂ、３２ｃが設置されている。
【００２６】
乗場扉装置３０ａ、３０ｂ，３０ｃ、乗場操作盤３２ａ、３２ｂ、３２ｃは、いずれも、基本的には、同じ構成であるため、設置階毎に区別する必要のない場合は、アルファベットの添え字を省略して、単に、乗場扉装置３０、乗場操作盤３２として説明する。乗場操作盤３２については後述する。
【００２７】
なお、図１において、かご操作盤２６、乗場操作盤３２の各々は、便宜上、それぞれ、前記袖壁、前記壁面から突出させて描いているが、両者とも当該袖壁、当該壁面とそれぞれ略面一に設けられている。
【００２８】
機械室１４には、また、かご操作盤２６、乗場操作盤３２から出力される各種信号を受信等して、前記電動機、かご扉装置２８等を統括的に制御し、エレベータ１０の円滑な運転を実現する制御装置３４が設置されている。
【００２９】
図２に、乗りかご２２の室内におけるかご扉３６、３８、およびその周辺の構成を表した斜視図を示す。かご扉３６、３８の左右両側には、それぞれ、袖壁４０、４２が設けられている。また、一方の袖壁４０には、かご操作盤２６が設置されている。
【００３０】
図３（ａ）は、かご操作盤２６の概略構成を示す正面図である。かご操作盤２６は、化粧板４４を有している。化粧板４４には、複数の窓が開設されていて、当該窓の各々からその一部が露出するように各種の操作ボタン装置が設けられている。
【００３１】
かご操作盤２６に設けられている操作ボタン装置は、複数個（本例では、５個）の行先階ボタン装置４６、戸開ボタン装置４８、戸閉ボタン装置５０、および外部連絡ボタン装置５２である。
【００３２】
行先階ボタン装置４６は、サービスをする階の数と同じ個数（本例では、１階から５階の５個）設けられており、利用者によって操作され、指定降車階を受け付ける。
【００３３】
戸開ボタン装置４８、戸閉ボタン装置６０は、これらが操作されると、乗りかご２２の停止中に、任意にかご扉３６、３８が開閉される。
【００３４】
外部連絡ボタン装置５２は、非常時に外部と連絡する際に操作される操作ボタン装置である。かご操作盤２６には、上述した操作ボタン装置以外に、各種の他の装置が設けられているのであるが、当該他の装置は、本願発明の主眼ではないので、その説明については省略する。
【００３５】
図３（ｂ）は、乗場操作盤３２ｂの概略構成を示す正面図である。乗場操作盤３２ｂは、化粧板５４を有している。化粧板５４には、二つの窓が開設されていて、当該窓の各々からその一部が露出するように、上ボタン装置５６と下ボタン装置５８がそれぞれ設けられている。
【００３６】
上ボタン装置５６は、乗場階Ｈｂから上方向に行く際に操作される操作ボタン装置であり、下ボタン装置５８は、乗場Ｈｂ階から下方向に行く際に操作される操作ボタン装置である。なお、サービス階の内の最上階Ｈａに設置された乗場操作盤３２ａには、下ボタン装置５８のみ設けられており、最下階Ｈｃに設置された乗場操作盤３２ｃには、上ボタン装置５６のみが設けられている。
【００３７】
続いて、操作ボタン装置の構成について説明する。操作ボタン装置は、基本的にいずれも同様の構成である。よって、行先階に１階を指定するための行先階ボタン装置を代表に説明し、これ以外の操作ボタン装置の説明については省略する。
【００３８】
先ず、実施形態に係る操作ボタン装置１００（図４（ａ）、図５、図６、図７、図８（ａ））の説明に先立ち、操作ボタン装置としての基本構成を有する標準操作ボタン装置２００の構成について説明する。
【００３９】
図４（ｂ）は、標準操作ボタン装置２００の正面図である。図１０は、図４（ｂ）におけるＢ・Ｂ線断面図である。図１１は、標準操作ボタン装置２００の一部分解斜視図である。図８（ｂ）は、標準操作ボタン装置２００の回路構成の概略を示す回路図である。
【００４０】
標準操作ボタン装置２００は、第１ケース部材２０２と第２ケース部材２０４を有する。第１ケース部材２０２は、箱形をしておりその底部には、回路基板２０６が設けられている。回路基板２０６には、光電センサ２０８が実装されている。光電センサ２０８の詳細については後述する。
【００４１】
回路基板２０６には、また、機械式スイッチとしてタクタイルスイッチ２１０のスイッチ本体２１２が実装されている。スイッチ本体２１２は、固定接点２１４と可動接点２１６を有し（図１０、図１１では不図示）、図８（ｂ）に示すように、「ＯＮ」操作をすると閉じ、「ＯＦＦ」操作すると開くａ接点（メーク接点）形のスイッチである。
【００４２】
タクタイルスイッチ２１０は、また、前記可動接点２１０を変位させるための作動子２１８を有する。作動子２１８は、全体的に環状をした中空部材からなる。作動子２１８は、図１０に示すように、ばね座２１８ａを有する。
【００４３】
ばね座２１８ａと第１ケース部材２０２の底部の間には、弾性部材として圧縮ばね２２０が設けられている。圧縮ばね２２０の一端部は、第１ケース部材２０２の底部に固定され、他端部は、ばね座２１８ａに固定されている。これにより、作動子２１８は、圧縮ばね２２０を介して第１ケース部材２０２に取り付けられていることになる。なお、圧縮ばね２２０は、図１０に示す状態で自由長の状態である。
【００４４】
標準操作ボタン装置２００は、また、押しボタン２２２を有する。押しボタン２２２は、本体２２４、表示板２２６、および透光カバー２２８を含む。
【００４５】
本体２２４は、全体的に、円形底部２２４ａと底部２２４ａの外周部から立ち上がった円筒部２２４ｂとを有するペトリ皿形状をしており、底部２２４ａに窓（中空部）２２４ｃが開設されている。
【００４６】
透光カバー２２８は、光電センサ２０８の後述する検出光を透光する素材でできている。透光カバー２２８は、窓２２４ａに合致した形状を有しており、窓２２４ａを閉塞するように窓２２４ａに接着剤等で固定されている。
【００４７】
表示板２２６は、合成樹脂製であり、板状をした基体２２６ａと基体２２６ａから突出した凸部からなる表示部２２６ｂを有する。表示部２２６ｂの正面視の形状は、図４（ｂ）に示すように「１」に形成されている。表示部２２６ｂの形状は、標準操作ボタン装置２００の用途に応じて変更される。本例は、１階を目的階に指定する標準操作ボタン装置２００（行先階ボタン装置）であるので、表示部２２６ｂの形状は「１」であるが。２階〜５階を目的階とする行先階ボタン装置の表示部は、それぞれ「２」〜「５」の形状となる。また、戸開ボタン装置４８、戸閉ボタン装置５０の場合は、図３（ａ）に示すような形状となり、外部連絡ボタン装置５２は、受話器の形状となる（図３（ａ）。さらに、上ボタン装置５６、下ボタン装置５８の場合は、三角形になる（図３（ｂ）。
【００４８】
表示板２２６は、窓（中空部）２２６ｃを有する。表示板２２６は、また、対向する一対の爪部２２６ｄ、２２６ｅを有する。表示板２２６は、本体２２４の底部２２４ａの底面に接着剤等で固定されている。
【００４９】
上述したように、本体２２４、表示板２２６、および透光カバー２２６は、相互に接着剤等で固定されて、一体となっており、これらで、押しボタン２２２が構成されている。
【００５０】
作動子２１８には、爪部２２６ｄ、２２６ｅの各々と係合する係合部２１８ｂ、２１８ｃが形成されている。押しボタン２２２は、環状をした作動子２１８の中空部に爪部２２６ｄ、２２６ｅを進入させ、爪部２２６ｄ、２２６ｅの各々を係合部２１８ｂ、２１８ｃにそれぞれ係合させることにより、作動子２１８に装着される。装着後の状態が図１０に示されている。
【００５１】
また、一対の爪部２２６ｄ、２２６ｅを相互に近づくように撓ませて、係合部２１８ｂ、２１８ｃとの係合を解き、押しボタン２２を、前記進入と反対向きに後退させることにより、押しボタン２２２が作動子２１８から脱着される。すなわち、作動子２１８に対し押しボタン２２２は着脱自在に設けられている。
【００５２】
第２ケース部材２０４は、押しボタン２２２が作動子２１８に装着された状態で、第１ケース部材２０２に取り付けられる。第２ケース部材２０４は、図１１に示すように、短い円筒部２０４ａを有している。円筒部２０４ａの内径は、押しボタン２２２の本体２２４における円筒部２２４ｂの外径よりも僅かに大きく設定されている。第２ケース部材２０４は、円筒２０４ａがボタン２２２の円筒部２２４ｂに外挿される形で第１ケース部材２０２に取り付けられる。
【００５３】
これまで説明してきた構成において、押しボタン２２２の本体２２４の底部２２４ａの外底面や透光カバー２２８の表面を含む操作面２２２ａを指先等で押下すると、押しボタン２２２に押されて作動子２１８が押下の向きに変位し、タクタイルスイッチ２１０がオンされる。このとき、圧縮ばね２２０が圧縮される。また、操作面２２２ａから、指先等を離すと、圧縮ばね２２０の復元力によって、作動子２１８、ひいては押しボタン２２２が元の位置まで変位して復帰すると共に、タクタイルスイッチ２１０がオフされる。
【００５４】
この際、第２ケース部材２０４の円筒部２０４ａが、押しボタン２２２の円筒部２２４ｂのガイド部材として機能し、押しボタン２２２のスムーズな進退動作が確保される。
【００５５】
なお、回路基板２０６には、不図示の照明用ＬＥＤ素子が実装されており、タクタイルスイッチ２１０がオンされると、当該ＬＥＤ素子が発光するようになっている。このＬＥＤ素子からの光が表示板２２６の表示部２２６ｂを光らすことにより、利用者は、標準ボタン装置２００に対する所定の操作が受け付けられたことを認識できる。また、ＬＥＤ素子は、例えば、行先階ボタン装置４６の場合は、目的階に乗りかご２２が着床すると消灯されるようになっている。
【００５６】
標準操作ボタン装置２００は、機械式スイッチであるタクタイルスイッチ２１０に加え、非接触で利用者の操作を受け付ける非接触センサとして光電センサ２０８を備えている。
【００５７】
光電センサ２０８は、公知の限定反射型光電センサであって、図１１に示すように、投光部２０８ａと受光部２０８ｂを有している。投光部２０８ａは、赤外線発光する発光素子と当該発光素子からの赤外光を集光して投光ビーム（検出光）を形成するレンズ（いずれも不図示）を含む。受光部２０８ｂは、受光素子と所定の受光エリアから進入する光を前記受光素子に集光するレンズ（いずれも不図示）を含む。
【００５８】
光電センサ２０８は、このように、投光ビーム（検出光）と受光エリアを限定した光学系を有し、光電センサ２０８から一定の距離範囲（投光ビームと受光エリアの重なった範囲）に亘る検知領域にある指その他の物体（検出物体）が検知される構成となっている。すなわち、検出物体が前記検知領域に存する際に、検出物体で反射された検出光（反射光）が受光部２０８ｂに入射することによって、検出物体を検知するようになっている。なお、前記検出光と前記反射光は、光電センサ２０８に対し、窓２２４ｃ、窓２２６ｃ、および透光カバー２２６を通過して出入する。
【００５９】
検知領域Ｄについて図１０を参照しながら説明する。なお、図１０において、左右方向を水平方向として説明する。光電センサ２０８としては、検出光の出射位置２０８ｃを起点に、水平方向に所定距離Ｌａ１離れた位置から所定距離Ｌａ２離れた位置までに亘る領域が検知領域Ｄである。出射位置２０８ｃから距離Ｌａ１までの領域は、検出物体が検知されない非検知領域（以下、「非検知領域ＬＡ１」と称する）である。図１０において、二点鎖線で囲まれ、破線の斜線が引かれた領域が検知領域Ｄである。
【００６０】
標準操作ボタン装置２００の仕様上、操作面２２２ａを基準に考えると、操作面２２２ａを起点に、所定距離Ｌｂ１離れた位置から所定距離Ｌｂ２離れた位置までに亘る領域が検知領域Ｄとなる。操作面２２２ａから所定距離Ｌｂ１までの領域は、検出物体が検知されない非検知領域（以下、「非検知領域ＬＢ１」と称する。）である。すなわち、操作面２２２ａは、光電センサ２０８の非検知領域ＬＡ１に存することとなる。
【００６１】
非検知領域ＬＢ１の距離Ｌｂ１は、例えば、３０ｍｍに設定されている。また、距離Ｌｂ２は、例えば、１００ｍｍに設定されている。よって、検知領域Ｄの水平方向の長さは、本例では７０ｍｍである。
【００６２】
標準操作ボタン装置２００において、非検知領域ＬＢ１を設定したのは、視覚障がいのある利用者が押しボタン２２２の位置を手探りで探すような場合に、当該利用者の指などに目当て以外の標準操作ボタン装置２００（例えば、行先階ボタン装置５２）の光電センサ２０８が反応して目的階が過誤登録されるのを防止するためである。
【００６３】
[発明が解決しようとする課題]でも述べたように、押しボタン２２２の操作面２２２ａからの検知領域Ｄの開始位置、すなわち、距離Ｌｂ１を変更調整、特に、短縮調整する要請がある。
【００６４】
この場合、光電センサ２０８の前記光学系を調整することで距離Ｌａ１ひいては、距離Ｌｂ１を調整（短縮）することが可能である。しかしながら、それには、前記レンズ（不図示）の光軸の微妙な調整等の熟練を必要とする。
【００６５】
そこで、本願発明者は、光電センサ２０８の調整等を要することなく、簡便に、押しボタン２２２の操作面２２２ａからの検知領域Ｄの開始位置（距離Ｌｂ１）を調整し得る操作ボタン装置１００を開発した。
【００６６】
図４（ａ）は、操作ボタン装置１００の正面図である。図５は、図４（ａ）におけるＡ・Ａ線断面図である。図６は、操作ボタン装置１０の一部分解斜視図である。図７（ａ）は、間隔調整アダプタ１５０の正面図、図７（ｂ）は同平面図、図７（ｃ）は同右側面図、図７（ｄ）は、図７（ａ）におけるＣ・Ｃ線断面図をそれぞれ示している。図７（ｅ）は、間隔調整アダプタ１５０の斜視図である。なお、間隔調整アダプタ１５０の左側面図は右側面図と同様に現れ、下面図は平面図と同様に現れるため図示を省略している。図８（ａ）は、操作ボタン装置１００の回路構成の概略を示す回路図である。
【００６７】
操作ボタン装置１００は、間隔調整アダプタ１５０を有している以外は、基本的に操作ボタン装置２００と同様の構成である。よって、操作ボタン装置１００の構成要素には百番代の符号を付し、操作ボタン装置２００と同様の構成要素には、その下二桁に同じ符号を付して、その説明については省略するか、適宜言及するに止め、以下、異なる部分を中心に説明する。
【００６８】
標準操作ボタン装置２００では、押しボタン２２２の押下操作が、直接、作動子２１８に伝わって、作動子２１８が押下方向に変位する構成であったが、操作ボタン装置１００では、押しボタン１２２の押下操作が、間隔調整アダプタ１５０を介して、作動子１１８に伝わり、作動子１１８が押下方向に変位する構成となっている。
【００６９】
図７に示すように、間隔調整アダプタ１５０は、方形をした窓（中空部）１５２を有する円板状をした円板部１５４と、円板部１５４の一方の主面から突出した短い筒状部１５６とを含む本体部１５８を有している。
【００７０】
筒状部１５６の２箇所には、作動子２１８の係合部２１８ｂ、２１８ｃ（図１０）と同様の形状をした係合部１５６ａ、１５６ｂが形成されている。
【００７１】
また、円板部１５４の他方の主面に突出させて、表示板２２６の爪部２２６ｄ、２２６ｅ（図１０）と同じ形状をした爪部１５４ａ、１５４ｂが設けられている。なお、本体部１５８は、所定の高さＴを有している。
【００７２】
間隔調整アダプタ１５０は、図５に示すように、押しボタン１２２と作動子１１８の間に設けられている。作動子１１８の係合部１１８ｂ、１１８ｃの各々に間隔調整アダプタ１５０の爪部１５４ａ、１５４ｂがそれぞれ係合して、作動子１１８に間隔調整アダプタ１５０が取り付けられている。間隔調整アダプタ１５０は、作動子１１８に対し、標準操作ボタン装置２００における作動子２１８と押しボタン２２２の場合と同様、着脱自在に設けられている。
【００７３】
間隔調整アダプタ１５０の係合部１５６ａ、１５６ｂの各々に押しボタン１２２の爪部１２６ｄ、１２６ｅがそれぞれ係合して、間隔調整アダプタ１５０に押しボタン１２２が取り付けられている。間隔調整アダプタ１５０は、押しボタン１１２に対し、標準操作ボタン装置２００における作動子２１８と押しボタン２２２の場合と同様、着脱自在に設けられている。
【００７４】
このように、押しボタン１２２と作動子１１８の間に間隔調整アダプタ１５０を設ける（挿入する）ことにより、押しボタン１２２と作動子１１８の間隔が調整される。具体的には、標準操作ボタン装置２００の場合、押しボタン２２２と作動子２２８の間に隙間は無いところ、間隔調整アダプタ１５０を設けることにより、操作ボタン装置１００では、押しボタン１２２と作動子１１８の間隔が、本体部１５８の高さＴ分に調整されている。
【００７５】
これにより、作動子１１８から押しボタン１２２の操作面１２２ａまでの水平方向の距離、ひいては、光電センサ１０８から操作面１２２ａまでの距離が調整された間隔（高さＴ）分、短縮されたことになる。
【００７６】
操作ボタン装置１００において、操作面１２２ａから所定距離Ｌｃ１離れた位置から所定距離Ｌｃ２離れた位置までに亘る領域が検知領域Ｄとなる。操作面１２２ａから所定距離Ｌｃ１までの領域は、検出物体が検知されない非検知領域（以下、「非検知領域ＬＣ１」と称する。）である。
【００７７】
操作ボタン装置１００の検知領域Ｄの操作面１２２ａからの距離と標準操作ボタン装置２００の検知領域Ｄの操作面２２２ａからの距離を比較すると以下の通りである。
【００７８】
非検知領域ＬＣ１の操作面１２２ａからの距離Ｌｃ１は、標準操作ボタン装置２００
における非検知領域ＬＢ１の操作面２２２ａからの距離Ｌｂ１よりも、高さＴ分短縮されている。
【００７９】
なお、操作ボタン装置１００の第２ケース部材１６０の円筒部１６０ａの水平方向の長さは、操作面１２２ａが作動子１１８から離間した分（高さＴ分）だけ、標準操作ボタン装置２００の第２ケース部材２０４の円筒部２０４ａよりも長くなっている。
【００８０】
以上説明したように、実施形態に係る操作ボタン装置１００は、押しボタン１２２と作動子１１８の間に間隔調整アダプタ１５０を設けるといった簡便な構成により、光電センサ１０８の押しボタン１２２の操作面１２２ａからの開始位置（距離Ｌｃ１）を変更することができる。
【００８１】
しかも、間隔調整アダプタ１５０は、作動子１１８と押しボタン１２２の両方に対し、着脱自在に設けられているため、容易に組み立てることができる。よって、高さＴの異なる複数の間隔調整アダプタ１５０を準備しておき、その中から、操作面１２２ａからの検知領域Ｄの距離Ｌｃ１が所望の長さとなるものを選んで、押しボタン１２２と作動子１１８に装着するだけで、必要とする操作ボタン装置１００を得ることができる。
【００８２】
なお、操作ボタン装置１００も、標準ボタン操作装置２００と同様、光電センサ１０８に対し、作動子１１８と押しボタン１２２が直列配置されていて、作動子１１８と押しボタン１２２の間に間隔調整アダプタ１５０が介装された構成となっている。すなわち、操作ボタン装置１００では、押しボタン１２２、間隔調整アダプタ１５０、作動子１１８、および光電センサ１０８が直列配置されている。
【００８３】
そして、押しボタン１２２、間隔調整アダプタ１５０、作動子１１８の各々は、光電センサ１０８から投光される検出光の進路に該当する部分が、中空に、または透光部材で構成されている。すなわち、押しボタン１２２は透光カバー１２８を有し、間隔調整アダプタ１５０は窓（中空部）１５２を有し、作動子１１８は、環状に形成されていて中空部を有する構成とされている。
【００８４】
（変形例）
上記実施形態では、単一の間隔調整アダプタ１５０で、操作面１２２ａからの検知領域Ｄの距離Ｌｃ１を調整したが、これに限らず、図９に示すように、複数個（図示例は２個）の間隔調整アダプタ１７０、１８０を連結して用いても構わない。
【００８５】
図９（ａ）は、連結前の間隔調整アダプタ１７０の側面図と間隔調整アダプタ１８０の縦断面図であり、図９（ｂ）は、連結状態の間隔調整アダプタ１７０と間隔調整アダプタ１８０である。間隔調整アダプタ１７０、１８０の各々は、高さＴが異なる以外は、間隔調整アダプタ１５０と同じ構造である。
【００８６】
以上、本発明に係る操作ボタン装置を実施形態に基づいて説明してきたが、本発明は上記した形態に限らないことは勿論であり、例えば、以下の形態とすることもできる。
【００８７】
（１）タクタイルスイッチは、図８（ａ）に示したａ接点形に限らず、「ＯＮ」操作をすると開き、「ＯＦＦ」操作をすると閉じるｂ接点（ブレーク接点）形を用いても構わない。要は、可動接点の変位によりオン・オフが切り換わるスイッチであればいいのである。また、光電センサも、図８（ａ）に示したａ接点形に限らず、ｂ接点形を用いても構わない。
【００８８】
（２）上記実施形態では、機械式スイッチとして、タクタイルスイッチ１１０を用いたが（図５、図８（ａ））、これに限らず、マイクロスイッチ、リミットスイッチ、ラバースイッチ、リーフスイッチ等、その他の機械式スイッチを用いても構わない。要は、押しボタンの押下操作により作動子が押下方向に変位し、オン・オフが切り換わるスイッチであれば構わないのである。
【００８９】
（３）上記実施形態では、非接触センサとして、限定反射型光電センサを用いたが、限定反射型に限らず、拡散反射型光電センサを用いても構わない。また、光電センサに限らず、近接センサ、超音波センサ等、その他の非接触センサを用いても構わない。
【産業上の利用可能性】
【００９０】
本発明に係る操作ボタン装置は、エレベータのかご操作盤の行先階ボタン装置、戸開ボタン装置、戸閉ボタン装置、外部連絡ボタン装置、乗場操作盤の上ボタン装置、下ボタン装置等として好適に利用可能である。
【符号の説明】
【００９１】
１００    操作ボタン装置
１０８    光電センサ
１１０    タクタイルスイッチ
１１８    作動子
１２２    押しボタン
１２２ａ  操作面
１５０    間隔調整アダプタ
【要約】
【課題】非接触センサの調整等を要することなく、非接触センサの検知領域の押しボタン操作面からの開始位置が調整された操作ボタン装置を提供する。
【解決手段】押しボタン１２２と、機械式スイッチであるタクタイルスイッチ１１０と、押しボタン１２２の操作面１２２ａの前方において一定の距離範囲に亘る検知領域Ｄを有する非接触センサである光電センサ１０８と、押しボタン１２２とタクタイルスイッチ１１０の作動子１１８の間に設けられ、押しボタン１２２と作動子１１８の間隔を調整する間隔調整アダプタ１５０とを有し、押しボタン１２２の押下操作が、間隔調整アダプタ１５０を介して、作動子１１８に伝わって、作動子１１８が変位し、タクタイルスイッチのオン・オフが切り換わり、間隔調整アダプタ１５０によって調整された前記間隔分、光電センサ１０８から操作面１２２ａまでの距離が調整された構成とした。
【選択図】図５【図１】
0006977906.tif 000002
【図２】
0006977906.tif 000003
【図３】
0006977906.tif 000004
【図４】
0006977906.tif 000005
【図５】
0006977906.tif 000006
【図６】
0006977906.tif 000007
【図７】
0006977906.tif 000008
【図８】
0006977906.tif 000009
【図９】
0006977906.tif 000010
【図１０】
0006977906.tif 000011
【図１１】
0006977906.tif 000012